(57)【要約】【課題】医療廃棄物にはかなりの水分が含有しており、加熱・圧縮して滅菌・減容化するとき温度と圧力によって水分が噴出するので、電熱ヒーターの防水性が問題となっている。本発明では、電熱ヒーターの防水性を向上させ且つ当該電熱ヒーターのメンテナンス性も向上させようとするものである。【解決手段】ピストン（１５）下端面に電熱ヒーター（１６）を緊結してカートリッジ化し、且つ、前記ピストン（１５）を貫通して上方に立ち上がる前記電熱ヒーター（１６）の非発熱体端子部（１７）を延長して防水性を向上させ、且つ、処理シリンダー（４）の体壁の一部にメンテナンスハッチ（７）を設けてカートリッジ化した前記ピストン（１５）と前記電熱ヒーター（１６）を丸ごと交換できるようメンテナンス性も向上させた。【選択図】図１
2008000736.tif 000002
【特許請求の範囲】
【請求項１】
処理機構（１）と、前記処理機構（１）の処理シリンダー（４）内部をピストン（１５）が上下動する手段を備えた加圧機構（２）と、前記処理機構（１）の前記処理シリンダー（４）下端開口部をゲート（１９）で開閉する手段を備えた排出機構（３）で構成する医療廃棄物処理装置において、前記ピストン（１５）下端面に電熱ヒーター（１６）を緊結してカートリッジ化し、且つ、前記ピストン（１５）を貫通して上方に立ち上がる前記電熱ヒーター（１６）の非発熱体端子部（１７）を延長して防水性を向上させ、且つ、前記処理シリンダー（４）の体壁の一部に開閉可能なメンテナンスハッチ（７）を設けてカートリッジ化した前記ピストン（１５）と前記電熱ヒーター（１６）をまるごと交換できるようメンテナンス性を向上させたことを特徴とする医療廃棄物処理装置のカートリッジヒーター及びメンテナンスハッチ。
【発明の詳細な説明】
【技術分野】
【０００１】本発明は、医療機関で発生する医療廃棄物を院内完全処理するための医療廃棄物処理装置に関するものである。
【背景技術】
【０００２】
【特許文献１】特許公開２００５−０４６８７９号公報
【特許文献２】特許公開２００４−０６５８３８号公報
【特許文献３】特許公開２００４−２９８５８５号公報
【特許文献４】特許公開２００４−１８１０２２号公報
【特許文献５】特許公開２００４−０１６５５２号公報
【特許文献６】特許公開２００３−３１０７４３号公報
【特許文献７】特許公開２００３−２５０８６５号公報
【特許文献８】特許公開２００３−０９３９０９号公報
【特許文献９】特許公開２００３−０７３４９８号公報
【特許文献１０】特許公開２００２−２９１８１３号公報
【特許文献１１】特許公開２００２−１０２８３３号公報
【特許文献１２】特許公開２００２−１０２８１９号公報
【特許文献１３】特許公開２００２−０５９１４４号公報
【特許文献１４】特許公開２００１−３１４８４７号公報
【特許文献１５】特許公開２００１−２５２３４５号公報
【発明の開示】
【発明が解決しようとする課題】
【０００３】医療廃棄物にはかなりの水分が含有しており、加熱・圧縮して滅菌・減容化するとき温度と圧力によって水分が噴出するので、電熱ヒーターの防水性が問題となっている。本発明では、電熱ヒーターの防水性を向上させ且つ当該電熱ヒーターのメンテナンス性も向上させようとするものである。
【課題を解決するための手段】
【０００４】上述の課題を解決するため請求項１の発明においては、処理機構（１）と、前記処理機構（１）の処理シリンダー（４）内部をピストン（１５）が上下動する手段を備えた加圧機構（２）と、前記処理機構（１）の前記処理シリンダー（４）下端開口部をゲート（１９）で開閉する手段を備えた排出機構（３）で構成する医療廃棄物処理装置において、前記ピストン（１５）下端面に電熱ヒーター（１６）を緊結してカートリッジ化し、且つ、前記ピストン（１５）を貫通して上方に立ち上がる前記電熱ヒーター（１６）の非発熱体端子部（１７）を延長して防水性を向上させ、且つ、前記処理シリンダー（４）の体壁の一部に開閉可能なメンテナンスハッチ（７）を設けて、カートリッジ化した前記ピストン（１５）と前記電熱ヒーター（１６）を丸ごと交換できるようメンテナンス性を向上させた医療廃棄物処理装置のカートリッジヒーター及びメンテナンスハッチであることを特徴とする。
【発明の効果】
【０００５】処理機構（１）と、前記処理機構（１）の処理シリンダー（４）内部をピストン（１５）が上下動する手段を備えた加圧機構（２）と、前記処理機構（１）の前記処理シリンダー（４）下端開口部をゲート（１９）で開閉する手段を備えた排出機構（３）で構成する医療廃棄物処理装置において、前記ピストン（１５）下端面に電熱ヒーター（１６）を緊結してカートリッジ化し、且つ、前記ピストン（１５）を貫通して上方に立ち上がる前記電熱ヒーター（１６）の非発熱体端子部（１７）を延長して防水性を向上させ、且つ、前記処理シリンダー（４）の体壁の一部に開閉可能なメンテナンスハッチ（７）を設けてカートリッジ化した前記ピストン（１５）と前記電熱ヒーター（１６）をまるごと交換できるようメンテナンス性を向上させることによって、
医療廃棄物を加熱・圧縮して滅菌・減容化するとき、温度と圧力によってかなりの水分が噴出しても、電熱ヒーター（１６）の絶縁性低下が解消でき、また、メンテナンスにおいても処理シリンダー（４）体壁のメンテナンスハッチ（７）開閉によりピストン（１５）と電熱ヒーター（１６）が一体化したカートリッジを迅速交換できるようになった。
【発明を実施するための最良の形態】
【０００６】発明を実施するための最良の形態について説明する。
［図１］に、本発明を適用した医療廃棄物処理装置のヒータープレート及び処理シリンダーメンテナンスハッチを示す。
【実施例】
【０００７】処理機構（１）と、前記処理機構（１）の処理シリンダー（４）内部をピストン（１５）が上下動する手段を備えた加圧機構（２）と、前記処理機構（１）の前記処理シリンダー（４）下端開口部をゲート（１９）で開閉する手段を備えた排出機構（３）で構成する医療廃棄物処理装置において、前記ピストン（１５）下端面に電熱ヒーター（１６）を緊結してカートリッジ化し、前記ピストン（１５）に緊結してある前記電熱ヒーター（１６）下端面が前記ゲート（１６）に緊結してある電熱ヒーター（１７）上端面まで下降しても、前記ピストン（１５）に緊結してある前記電熱ヒーター（１６）の非発熱体端子部（１７）がつねに処理シリンダー（４）上端面よりも上方に位置するように延長して防水性を向上させた。【０００８】さらに、前記処理シリンダー（４）の体壁の一部に開閉可能なメンテナンスハッチ（７）を設け、上述の方策で防水性が飛躍的に向上した電熱ヒーターが万一絶縁性が低下しても、カートリッジ化した前記ピストン（１５）と前記電熱ヒーター（１６）を丸ごと交換できるようメンテナンス性も飛躍的に向上させた。
【産業上の利用可能性】
【０００９】医療廃棄物を加熱・圧縮して滅菌・減容化するとき、温度と圧力によってかなりの水分を噴出するが、この発明により電熱ヒーターの絶縁性低下を解消でき、また、メンテナンスにおいても処理シリンダー体壁の一部の開閉可能なメンテナンスハッチにより、ピストンと電熱ヒーターとが一体化したカートリッジを迅速交換できるようになった。これによって本発明を適用した医療廃棄物処理装置は、医療廃棄物の院内完全処理という理想実現のため大いに貢献できる。
【図面の簡単な説明】
【００１０】
【図１】は、本発明を適用した医療廃棄物処理装置のヒータープレート及び処理シリンダーメンテナンスハッチである。
【符号の説明】
【００１１】１    処理機構
２    加圧機構
３    排出機構
４    処理シリンダー
５    投入ハッチ
６    蝶番
７    メンテナンスハッチ
８    蝶番
９    油圧シリンダー
１０  ボルト
１１  取付金具
１２  ボルト
１３  シリンダーロッド
１４  取付金具
１５  ピストン
１６  電熱ヒーター
１７  ヒーター非発熱体端子部
１８  フレーム
１９  ゲート
２０  電熱ヒーター
２１  摺動材
２２  摺動材取付金具
【図１】
2008000736.tif 000003